(57)【要約】【課題】本発明は、受信装置及びアンテナに関し、例えばディジタルラジオ放送等を受信可能な携帯電話に適用して、ノイズの影響を回避しつつ、従来に比して人体による特性の劣化を低減することができるようにする。【解決手段】本発明は、シールドケーブル４１、４２によりオーディオ信号等を伝送するようにして、本体装置３４から一定の範囲では、このシールドケーブル４１によりアンテナ４２からの高周波信号の同軸伝送路を形成し、さらにこの一定範囲より先の一定範囲で、シールドケーブル４２の被覆線をアンテナとして使用する。【選択図】        図１
2008263252.tif 000002
【特許請求の範囲】
【請求項１】
本体装置に接続されて、前記本体装置の信号又は電力を芯線ケーブルにより伝送し、前記芯線ケーブルを被覆線により被覆してシールドする第１のシールドケーブルと、
前記第１のシールドケーブルの前記本体装置側端とは逆側端に接続されて、前記信号又は電力を芯線ケーブルにより伝送し、当該芯線ケーブルを被覆線により被覆してシールドする第２のシールドケーブルと、
前記第２のシールドケーブルの前記芯線ケーブルの前記第１のシールドケーブル側端とは逆側端に接続されて、前記信号又は電力を伝送する伝送ケーブルと、
前記第１のシールドケーブルの前記芯線ケーブルの前記本体装置側端に接続されて、前記芯線ケーブルから前記本体装置への高周波信号の侵入を遮断する第１の高周波遮断回路と、
前記第１のシールドケーブルの芯線ケーブルの前記第２のシールドケーブル側端と、前記第２のシールドケーブルの芯線ケーブルの前記第１のシールドケーブル側端との間に設けられて、前記第２のシールドケーブルの芯線ケーブルから前記第１のシールドケーブルの芯線ケーブルへの高周波信号の侵入を遮断する第２の高周波遮断回路と、
前記第１のシールドケーブルの前記芯線ケーブルの前記本体装置側端にアンテナ入力端が接続されて、所望の放送波を受信するチューナとを備え、
前記第１のシールドケーブルは、
前記被覆線の前記第２のシールドケーブル側端が開放端とされ、
前記被覆線の前記本体装置側端が前記本体装置のグランドに接続され、
前記第２のシールドケーブルは、
前記被覆線の前記伝送ケーブル側端が開放端とされ、
前記被覆線の前記第１のシールドケーブル側端が、前記第１のシールドケーブルの前記芯線ケーブルに接続された
ことを特徴とする受信装置。
【請求項２】
前記第２のシールドケーブルの前記芯線ケーブルと前記伝送ケーブルとが、前記伝送ケーブルから前記第２のシールドケーブルの前記芯線ケーブルへの高周波信号の侵入を遮断する第３の高周波遮断回路を介して接続された
ことを特徴とする請求項１に記載の受信装置。
【請求項３】
前記第３の高周波遮断回路が、インダクタである
ことを特徴とする請求項２に記載の受信装置。
【請求項４】
前記第１のシールドケーブルの両端に、それぞれ前記第１のシールドケーブルに設けられた芯線ケーブルを結合させるコンデンサが設けられた
ことを特徴とする請求項１に記載の受信装置。
【請求項５】
前記伝送ケーブルにスピーカが接続された
ことを特徴とする請求項１に記載の受信装置。
【請求項６】
前記伝送ケーブル及び前記第２のシールドケーブルがジャック及びプラグにより接続された
ことを特徴とする請求項５に記載の受信装置。
【請求項７】
前記第２のシールドケーブルの被覆線の長さが、前記チューナが受信する放送波の波長の略１／４に設定された
ことを特徴とする請求項１に記載の受信装置。
【請求項８】
本体装置に接続されて、前記本体装置の信号又は電力を芯線ケーブルにより伝送し、前記芯線ケーブルを被覆線により被覆してシールドする第１のシールドケーブルと、
前記第１のシールドケーブルの前記本体装置側端とは逆側端に接続されて、前記信号又は電力を芯線ケーブルにより伝送し、当該芯線ケーブルを被覆線により被覆してシールドする第２のシールドケーブルと、
前記第１のシールドケーブルの芯線ケーブルの前記第２のシールドケーブル側端と、前記第２のシールドケーブルの芯線ケーブルの前記第１のシールドケーブル側端との間に設けられて、前記第２のシールドケーブルの芯線ケーブルから前記第１のシールドケーブルの芯線ケーブルへの高周波信号の侵入を遮断する第１の高周波遮断回路とを備え、
前記第１のシールドケーブルは、
前記被覆線の前記第２のシールドケーブル側端が開放端とされ、
前記被覆線の前記本体装置側端が前記本体装置のグランドに接続され、
前記芯線ケーブルの前記本体装置側端が前記本体装置のチューナのアンテナ入力端に接続され、
前記第２のシールドケーブルは、
前記芯線ケーブルの前記第１のシールドケーブル側端とは逆側端に、前記信号又は電力を伝送する伝送ケーブルが接続され、
前記被覆線の前記第１の前記伝送ケーブル側端が開放端とされ、
前記被覆線の前記第１のシールドケーブル側端が、前記第１のシールドケーブルの前記芯線ケーブルに接続された
ことを特徴とするアンテナ。
【請求項９】
前記伝送ケーブルは、イヤホンのケーブルである
ことを特徴とする請求項８に記載のアンテナ。
【請求項１０】
前記伝送ケーブルが、ジャック及びプラグにより前記第２のシールドケーブルに接続される
ことを特徴とする請求項９に記載のアンテナ。
【発明の詳細な説明】
【技術分野】
【０００１】
本発明は、受信装置及びアンテナに関し、例えばディジタルラジオ放送等を受信可能な携帯電話に適用することができる。本発明は、シールドケーブルによりオーディオ信号等を伝送するようにして、本体装置から一定の範囲では、このシールドケーブルによりアンテナからの高周波信号の同軸伝送路を形成し、さらにこの一定範囲より先の一定範囲で、シールドケーブルの被覆線をアンテナとして使用することにより、ノイズの影響を回避しつつ、従来に比して人体による特性の劣化を低減することができるアンテナ、このアンテナを用いた受信装置を提案する。
【背景技術】
【０００２】
従来、携帯型の受信装置では、アンテナに関して種々の工夫が図られている。すなわちこの種のアンテナには、装置のデザインを損なわないようにする、人体への影響を防止する、機器から放射されるノイズによる影響を受け難くする等が望まれる。
【０００３】
これらのうちのデザインに関して、受信装置は、従来、アンテナを内蔵型にしてデザインを損なわないようにする工夫が施されているものの、受信周波数が低い場合には、アンテナが大型化し、内蔵することが困難になる。そこで従来、受信周波数が低い場合、受信装置は、図１８に示すように、主にロッドアンテナを使用している。なおこの図１８は、例えばラジオ放送の受信機能を有するノートパソコン１にロッドアンテナ２を設けた場合を示す図である。
【０００４】
しかしながらロッドアンテナを使用する場合、構成が複雑化し、ロッドアンテナが飛び出してデザインを損なう等の欠点がある。またアンテナの給電点がロッドアンテナ２の付け根部分となり、装置に沿ってアンテナが配置されることから、装置からのノイズの影響を受け易く、Ｃ／Ｎ比が劣化する欠点もある。
【０００５】
このため近年、図１８との対比により図１９に示すように、イヤホン３のケーブルをアンテナとして使用する方法が種々に提案されている。すなわち図２０に示すように、この場合、ノートパソコン１は、左チャンネル及び右チャンネルのオーディオ信号ＳＡＬ及びＳＡＲをそれぞれ増幅回路５Ｌ、５Ｒで増幅し、高周波遮断回路６Ｌ、６Ｒをそれぞれ介してジャック７に出力する。ここで高周波遮断回路６Ｌ、６Ｒは、ジャック７から装置内への高周波信号の侵入を防止する例えばチップインダクタにより構成される。ノートパソコン１は、これら左チャンネル及び右チャンネルのオーディオ信号ＳＡＬ及びＳＡＲに対応するジャック７のアースラインを高周波遮断回路６Ｇを介して接地する。またコンデンサ８を介してジャック７のアースラインをチューナ９のアンテナ入力端に入力する。これによりノートパソコン１は、ジャック７のアースラインに接続されたケーブルをアンテナとして使用してチューナ９により所望の放送波を受信し、また受信結果によるオーディオ信号ＳＡＬ及びＳＡＲをジャック７から出力する。
【０００６】
中継ケーブル１０は、例えば３本のケーブルを一体化したフラットケーブル１１の両端にプラグ１２、ジャック１４がそれぞれ設けられ、プラグ１２がノートパソコン１のジャック７に接続される。またジャック１４にイヤホン３のプラグ１３が接続される。これによりイヤホン３は、この中継ケーブル１０を介してノートパソコン１に接続され、左チャンネル及び右チャンネルのスピーカ１５Ｌ及び１５Ｒがそれぞれ駆動される。従ってこの図２０に示す構成では、フラットケーブル１１を含むイヤホン３のケーブルがアンテナとして機能する。なおこの方式では、中継ケーブル１０が省略されてイヤホン３が装置本体に接続される場合もある。
【０００７】
しかしながら、この図２０に示すようにイヤホン３のケーブルを単にアンテナとして使用する場合、イヤホン３の装着により人体がケーブルに接触し、アンテナの特性の劣化が著しい問題がある。またこの場合もアンテナの給電点が付け根部分となって装置に沿ってアンテナが配置されることから、装置からのノイズの影響を受け易く、Ｃ／Ｎ比が劣化する問題もある。
【０００８】
すなわち図２１は、この図２０の構成によるアンテナの利得を示す特性曲線図である。ここで符号ＬＶ及びＬＨは、それぞれ垂直偏波及び水平偏波の測定結果である。この図２１の測定結果は、中継ケーブル１０にイヤホン３を接続して自由空間に放置した場合であり、高周波信号源に対してイヤホン３の向きを変化させてピークの利得を各周波数で測定した結果である。また図２２、図２３、図２４は、それぞれ図２１の示す測定結果の図表であり、図２２は垂直偏波及び水平偏波の測定結果から高い側の利得を選択した総合の測定結果であり、図２３及び図２４は、それぞれ垂直偏波及び水平偏波の測定結果である。
【０００９】
これに対して図２５〜図２８は、図２１〜図２４との対比により、同一の条件で測定した実際の装着状態におけるアンテナの利得を示す特性曲線図である。これら図２１〜図２４と図２５〜２８との対比により、イヤホン３の装着によりＵＨＦ帯域でアンテナの利得が１〜６〔ｄＢ〕低下することが判る。
【００１０】
この人体による影響を解消する１つの方法として、図２９に示すように、人体に触れない部分をアンテナとして機能させることが考えられる。なおこの図２９は、携帯型のラジオ受信装置２２で放送波を受信する場合である。そこで従来、例えば特開２００５−６４７４２号公報等にイヤホンケーブルをアンテナとして使用するようにして、人体に触れない部分をアンテナとして機能させる工夫が提案されている。
【００１１】
これに対して装置からのノイズの影響を受け難くし、Ｃ／Ｎ比を向上する方法として、図３０に示すように、装置の付け根部分からアンテナの給電点を遠ざけることが考えられる。すなわち図３１にノイズ源からの距離による電界強度を示すように、ノイズ源近傍では、ノイズ源からアンテナを５〔ｃｍ〕遠ざけるだけで、ノイズによる電界強度を１５〔ｄＢ〕も改善することができ、これによりノイズの影響を受け難くし、Ｃ／Ｎ比を向上することができる。なおこの図３１は、周波数５５０〔ＭＨｚ〕の測定結果である。
【００１２】
ここで図３２は、装置の付け根部分からアンテナの給電点を遠ざけた構成に係る従来例を示す図である。この図３２の例では、フラットケーブル１１に代えてシールドケーブル２１が用いられて中継ケーブル２０が形成され、オーディオ信号ＳＡＬ及びＳＡＲ、アースラインの芯線ケーブルをこのシールドケーブル２１の被覆線ＳＳによりシールドする。この図３２に示す例によれば、アンテナの給電点を中継ケーブル２０のイヤホン側端に設定して装置から遠ざけることができ、ノイズの影響を受け難くすることができる。
【００１３】
しかしながらこの図３２に示す構成でも、イヤホンを装着した場合の特性劣化については解決されない。すなわち図３３〜図３６は、図２１〜図２４との対比により、同一の条件で測定した図３２に示す例によるアンテナの自由空間における特性を示す特性曲線図であり、図３７〜図４０は、装着状態における特性を示す特性曲線図である。これら図３３〜図３６と図３７〜図４０との対比により、イヤホン３の装着によりＵＨＦ帯域で、アンテナの利得が１〜５〔ｄＢ〕低下することが判る。なおこの場合、自由空間における特性に利得偏差が見られる。またさらにイヤホン３のケーブル全長がアンテナとして機能し、例えばＵＨＦ帯を受信する場合には、この全長が受信周波数の波長に比して長いことにより、特定周波数でいわゆるＮＵＬＬ点が発生して特性が劣化する。
【特許文献１】特開２００５−６４７４２号公報
【発明の開示】
【発明が解決しようとする課題】
【００１４】
本発明は以上の点を考慮してなされたもので、ノイズの影響を回避しつつ、従来に比して人体による特性の劣化を低減することができるアンテナ、このアンテナを用いた受信装置を提案しようとするものである。
【課題を解決するための手段】
【００１５】
上記の課題を解決するため請求項１の発明は、受信装置に適用して、本体装置に接続されて、前記本体装置の信号又は電力を芯線ケーブルにより伝送し、前記芯線ケーブルを被覆線により被覆してシールドする第１のシールドケーブルと、前記第１のシールドケーブルの前記本体装置側端とは逆側端に接続されて、前記信号又は電力を芯線ケーブルにより伝送し、当該芯線ケーブルを被覆線により被覆してシールドする第２のシールドケーブルと、前記第２のシールドケーブルの前記芯線ケーブルの前記第１のシールドケーブル側端とは逆側端に接続されて、前記信号又は電力を伝送する伝送ケーブルと、前記第１のシールドケーブルの前記芯線ケーブルの前記本体装置側端に接続されて、前記芯線ケーブルから前記本体装置への高周波信号の侵入を遮断する第１の高周波遮断回路と、前記第１のシールドケーブルの芯線ケーブルの前記第２のシールドケーブル側端と、前記第２のシールドケーブルの芯線ケーブルの前記第１のシールドケーブル側端との間に設けられて、前記第２のシールドケーブルの芯線ケーブルから前記第１のシールドケーブルの芯線ケーブルへの高周波信号の侵入を遮断する第２の高周波遮断回路と、前記第１のシールドケーブルの前記芯線ケーブルの前記本体装置側端にアンテナ入力端が接続されて、所望の放送波を受信するチューナとを備え、前記第１のシールドケーブルは、前記被覆線の前記第２のシールドケーブル側端が開放端とされ、前記被覆線の前記本体装置側端が前記本体装置のグランドに接続され、前記第２のシールドケーブルは、前記被覆線の前記伝送ケーブル側端が開放端とされ、前記被覆線の前記第１のシールドケーブル側端が、前記第１のシールドケーブルの前記芯線ケーブルに接続される。
【００１６】
また請求項８の発明は、アンテナに適用して、本体装置に接続されて、前記本体装置の信号又は電力を芯線ケーブルにより伝送し、前記芯線ケーブルを被覆線により被覆してシールドする第１のシールドケーブルと、前記第１のシールドケーブルの前記本体装置側端とは逆側端に接続されて、前記信号又は電力を芯線ケーブルにより伝送し、当該芯線ケーブルを被覆線により被覆してシールドする第２のシールドケーブルと、前記第１のシールドケーブルの芯線ケーブルの前記第２のシールドケーブル側端と、前記第２のシールドケーブルの芯線ケーブルの前記第１のシールドケーブル側端との間に設けられて、前記第２のシールドケーブルの芯線ケーブルから前記第１のシールドケーブルの芯線ケーブルへの高周波信号の侵入を遮断する第１の高周波遮断回路とを備え、前記第１のシールドケーブルは、前記被覆線の前記第２のシールドケーブル側端が開放端とされ、前記被覆線の前記本体装置側端が前記本体装置のグランドに接続され、前記芯線ケーブルの前記本体装置側端が前記本体装置のチューナのアンテナ入力端に接続され、前記第２のシールドケーブルは、前記芯線ケーブルの前記第１のシールドケーブル側端とは逆側端に、前記信号又は電力を伝送する伝送ケーブルが接続され、前記被覆線の前記伝送ケーブル側端が開放端とされ、前記被覆線の前記第１のシールドケーブル側端が、前記第１のシールドケーブルの前記芯線ケーブルに接続される。
【００１７】
請求項１又は請求項８の構成によれば、第１のシールドケーブルを介して本体装置に一端が接続され、他端が伝送ケーブルに接続された第２のシールドケーブルの被覆線がモノポールのアンテナとして機能し、第１のシールドケーブルがこのモノポールアンテナに誘起された高周波信号を伝送する同軸伝送路を形成する。これにより本体装置から一定距離だけ離間した一定範囲の部位のみをアンテナとして使用することができ、本体装置からのノイズの影響を回避しつつ、従来に比して人体による特性の劣化を低減することができる。
【発明の効果】
【００１８】
本発明によれば、ノイズの影響を回避しつつ、従来に比して人体による特性の劣化を低減することができるアンテナ、このアンテナを用いた受信装置を提案しようとするものである。
【発明を実施するための最良の形態】
【００１９】
以下、適宜図面を参照しながら本発明の実施例を詳述する。
【実施例１】
【００２０】
（１）実施例の構成
図１は、本発明の実施例１の受信装置である携帯電話を部分的に示すブロック図であり、図２は、この携帯電話の斜視図である。この携帯電話３１は、ラジオ放送の受信機能を有する携帯電話であり、中継ケーブル３２を介してイヤホン３を本体装置３４に接続することにより、中継ケーブル３２をアンテナとして使用してラジオ放送を受信する。なおこれら図１及び図２の構成において、上述の従来例と同一の構成は、対応する符号を付して示し、重複した説明は適宜省略する。
【００２１】
このため中継ケーブル３２は、本体装置３４に接続するプラグ３５とイヤホン３のプラグ１３を接続するジャック１４とが両端に設けられ、また本体装置３４には、中継ケーブル３２のプラグ３５を接続するジャック３８が設けられる。
【００２２】
ここで本体装置３４は、チップインダクタによる高周波遮断回路６Ｌ、６Ｒを介して増幅回路５Ｌ、５Ｒから左チャンネル及び右チャンネルのオーディオ信号ＳＡＬ及びＳＡＲをジャック３８に出力する。なお高周波遮断回路６Ｌ、６Ｒは、例えば増幅回路５Ｌ、５Ｒの出力ラインにフェライトビーズを配置して構成する場合等、種々のローパスフィルタを広く適用することができる。また本体装置３４は、これら左チャンネル及び右チャンネルのオーディオ信号ＳＡＬ及びＳＡＲに対応するジャック３８のアースラインを同様の高周波遮断回路６Ｇを介して接地する。
【００２３】
ハイバンドチューナ３６Ｈは、ＵＨＦ帯域の放送波であるディジタルテレビ、ディジタルラジオ放送を受信する。ローバンドチューナ３６Ｌは、周波数７０〜１１０〔ＭＨｚ〕の放送波であるＦＭ放送、ローバンドのテレビジョン放送による音声を受信する。本体装置３４は、ユーザーの操作に応動してこれらハイバンドチューナ３６Ｈ、ローバンドチューナ３６Ｌの動作を切り換え、コンデンサ８、選択回路３７を介してこれらハイバンドチューナ３６Ｈ、ローバンドチューナ３６Ｌのアンテナ入力端を選択的にジャック３８に接続する。
【００２４】
これに対して中継ケーブル３２は、３芯の多芯シールドケーブル４１及び４２を中継部４３で接続し、これら多芯シールドケーブル４１及び４２にプラグ３５、プラグ１３がそれぞれ設けられる。ここで多芯シールドケーブル４１及び４２は、図３に示すように、３本の芯線ケーブルＬＬ、ＬＲ、ＬＧとこれら３本の芯線ケーブルＬＬ、ＬＲ、ＬＧを同軸形状に被覆する被覆線ＳＳとを有し、３本の芯線ケーブルＬＬ、ＬＲ、ＬＧがオーディオ信号の伝送に割り当てられる。なおここでこれら３本の芯線ケーブルＬＬ、ＬＲ、ＬＧは、密接して配置され、被覆線ＳＳは、断面におけるこれら３本の芯線ケーブルＬＬ、ＬＲ、ＬＧの中央が中心に設定されて円形形状により配置され、これにより芯線ケーブルＬＬ、ＬＲ、ＬＧを同軸形状に被覆する。被覆線ＳＳは、この実施例において偏編線により形成される。
【００２５】
中継ケーブル３２は、これら多芯シールドケーブル４１及び４２の芯線ケーブルＬＬ、ＬＲ、ＬＧが、それぞれ左チャンネルのオーディオ信号ＳＡＬ、右チャンネルのオーディオ信号ＳＡＲ、これらオーディオ信号ＳＡＬ及びＳＡＲのアースラインに割り当てられ、チップインダクタによる高周波遮断回路４５Ｇ、４５Ｌ、４５Ｒを介して中継部４３で多芯シールドケーブル４１及び４２が接続される。
【００２６】
中継ケーブル３２は、本体装置３４側の多芯シールドケーブル４１については、被覆線ＳＳのイヤホン３側端が単に固定されて何れのケーブルにも接続されることなく、いわゆる開放端として保持されるのに対し、本体装置３４側端がプラグ３５及びジャック３８を介して本体装置３４のグランドに接続される。
【００２７】
これに対してイヤホン３側の多芯シールドケーブル４２については、被覆線ＳＳの本体装置３４側端がアースラインの芯線ケーブルＬＧに接続されるのに対し、被覆線ＳＳのイヤホン３側端が単に固定されていわゆる開放端として保持される。これにより中継ケーブル３２は、イヤホン３側の多芯シールドケーブル４２における被覆線ＳＳがアンテナとして機能し、本体装置３４側の多芯シールドケーブル４１がこのアンテナによる高周波信号の同軸伝送路として機能するように構成される。
【００２８】
なお図４（Ａ）及び（Ｂ）に示すように、中継ケーブル３２は、高周波遮断回路４５Ｌ、４５Ｒ、４５Ｇを実装した配線基板４６を介してこれら多芯シールドケーブル４１、４２が接続された後、全体を樹脂により覆って中継部４３が形成される。ここで図４（Ａ）は、中継部４３の断面図であり、図４（Ｂ）は、樹脂を取り外して示す中継部４３の平面図である。
【００２９】
中継ケーブル３２は、このイヤホン３側の多芯シールドケーブル４２の長さＬ２が、ハイバンドチューナ３６Ｈが受信する特定の放送波の略１／４波長の長さである６５０〔ｍｍ〕に設定される。これに対して本体装置３４側の多芯シールドケーブル４１の長さＬ１が、イヤホン３側の多芯シールドケーブル４２を本体装置３４から遠ざけるのに十分な長さ１５０〔ｍｍ〕に設定される。
【００３０】
（２）実施例の動作
以上の構成において、この携帯電話３１では、ユーザーの操作に応動してハイバンドチューナ３６Ｈ又はローバンドチューナ３６Ｌが動作を立ち上げ、ハイバンドチューナ３６Ｈ又はローバンドチューナ３６Ｌのアンテナ入力端が選択回路３７を介して中継ケーブル３２に接続される。携帯電話３１では、この中継ケーブル３２がアンテナとして機能し、これによりハイバンドチューナ３６Ｈ又はローバンドチューナ３６Ｌで所望の放送波を受信し、オーディオ信号ＳＡＬ、ＳＡＲが再生される。また携帯電話３１では、このオーディオ信号ＳＡＬ、ＳＡＲにより中継ケーブル３２を介してイヤホン３のスピーカ１５Ｌ、１５Ｒが駆動され、ハイバンドチューナ３６Ｈ又はローバンドチューナ３６Ｌで受信した放送波の音声がユーザーに提供される。これによりこの携帯電話３１では、イヤホン３を介して放送による種々のコンテンツを楽しむことができる。
【００３１】
携帯電話３１では、この中継ケーブル３２を介したスピーカ１５Ｌ、１５Ｒの駆動が、多芯シールドケーブル４１、４２の芯線ケーブルＬＬ、ＬＲ、ＬＧにより実行される。携帯電話３１では、この芯線ケーブルＬＬ、ＬＲ、ＬＧの本体装置３４側端に設けられた高周波遮断回路６Ｌ、６Ｒ、６Ｇにより中継ケーブル３２、イヤホン３のケーブルに誘起された高周波信号の本体装置３４側への混入が防止され、これにより安定に動作して放送波を受信することができる。
【００３２】
また携帯電話３１では、中継ケーブル３２の中継部４３に設けられた高周波遮断回路４５Ｌ、４５Ｒ、４５Ｇにより高周波的に芯線ケーブルＬＬ、ＬＲ、ＬＧが、多芯シールドケーブル４１、４２による２つの部分に分断され、この分断された２つの部分のイヤホン３側では、被覆線ＳＳが何れの部位にも接続されることなく、いわゆる開放端とされていることにより、図５（Ａ）及び（Ｂ）に示すように、このイヤホン３側の被覆線ＳＳがモノポールのアンテナとして機能することになる。
【００３３】
これに対して中継部４３において、このイヤホン３側の被覆線ＳＳが、アースラインの芯線ケーブルＬＧに接続され、本体装置３４側の被覆線ＳＳのイヤホン３側が開放端とされると共に、この被覆線ＳＳの本体装置３４側端がグランドに接続されていることにより、この中継部４３より本体装置３４側の被覆線ＳＳは、芯線ケーブルＬＬ、ＬＲ、ＬＧと共に、図５（Ａ）及び（Ｃ）により示すように、イヤホン３側の被覆線ＳＳに誘起された高周波信号を伝送する同軸伝送路として機能することになる。
【００３４】
これにより図６及び図７に示すように、この実施例では、人体に接触しない部位であって、かつ本体装置３４からこの同軸伝送路の分だけ遠ざかった中継ケーブル３２の特定部位（シールドケーブル４１の被覆線ＳＳである）がアンテナとして機能することになり、本体装置３４からのノイズの影響を低減しつつ、人体への接触による影響を有効に回避することができる。なお図７は、中継ケーブル３２によるアンテナと同軸伝送路との関係を概念的に示す図である。
【００３５】
またこの実施例では、中継部４３において高周波遮断回路４５Ｌ、４５Ｒ、４５Ｇにより芯線ケーブルＬＬ、ＬＲ、ＬＧが高周波的に分断されていることにより、イヤホン３のケーブルに誘起された高周波信号がこの芯線ケーブルＬＬ、ＬＲ、ＬＧを介して同軸伝送路を形成する多芯シールドケーブル４１に混入しないようにすることができる。これによってもこの実施例は、多芯シールドケーブル４２、４１がそれぞれ確実にモノポールアンテナ、同軸伝送路として機能するようにし、人体の接触による影響を有効に回避し、さらにはノイズの影響を低減することができる。
【００３６】
またモノポールアンテナとして機能する多芯シールドケーブル４２にあっては、同軸形状により被覆線ＳＳが芯線ケーブルＬＬ、ＬＲ、ＬＧを被覆してシールドしていることから、高周波信号において、被覆線ＳＳ及び芯線ケーブルＬＬ、ＬＲ、ＬＧのアイソレーションを十分に確保することができ、これによっても多芯シールドケーブル４２の被覆線ＳＳのみアンテナとして機能させることができる。
【００３７】
またこの実施例では、本体装置３４から一定距離だけ離れた、中継ケーブル３２の一部分だけアンテナとして機能させるようにしていることから、受信する放送波の波長に比してアンテナとして機能する部位の長さが不必要に長くならないようにすることができ、これによりＮＵＬＬ点の発生を防止して特定周波数における極端な特性劣化を防止することができる。
【００３８】
またこのアンテナとして機能する部分である中継ケーブル３２のシールドケーブル４２の長さを、受信する放送波の１／４波長としたことにより、アンテナとしての性能を向上することができる。
【００３９】
図８〜図１１は、図３４〜図３７との対比により自由空間におけるこの実施例のアンテナの測定結果を示す特性曲線図であり、図１２〜図１５は、装着状態における測定結果を示す特性曲線図である。これらの測定結果によれば、人体による特性の劣化を１〜３〔ｄＢ〕に抑えることができ、従来に比して人体による特性の劣化が改善されていることが判る。
【００４０】
（３）実施例の効果
以上の構成によれば、シールドケーブルによりオーディオ信号等を伝送するようにして、本体装置から一定の範囲では、このシールドケーブルによりアンテナからの高周波信号の同軸伝送路を形成し、さらにこの一定範囲より先の一定範囲で、シールドケーブルの被覆線をアンテナとして使用することにより、ノイズの影響を回避しつつ、従来に比して人体による特性の劣化を低減することができるアンテナ、このアンテナを用いた受信装置を提供することができる。
【００４１】
またアンテナとして機能するシールドケーブルの長さを、チューナが受信する放送波の波長の略１／４に設定したことにより、効率よく放送波を受信することができる。
【実施例２】
【００４２】
図１６は、図１５との対比により本発明の実施例２の携帯電話を示す図である。この実施例では、中継ケーブル３２に代えて、中継ケーブル５０が設けられる。またこの中継ケーブル５０は、チップインダクタによる高周波遮断回路５１Ｌ、５１Ｒ、５１Ｇを介して多芯シールドケーブル４２の芯線ケーブルＬＬ、ＬＲ、ＬＧがジャック１４に接続される。この実施例の携帯電話は、この高周波遮断回路５１Ｌ、５１Ｒ、５１Ｇに関する構成が異なる点を除いて、実施例１と同一に構成される。
【００４３】
すなわちこの実施例では、イヤホン３のケーブルにも高周波信号が誘起される。実施例１の携帯電話では、多芯シールドケーブル４２の被覆線ＳＳ及び芯線ケーブルＬＬ、ＬＲ、ＬＧ間の容量結合により、このイヤホン３のケーブルに誘起された高周波信号が多芯シールドケーブル４２の被覆線ＳＳに流入し、これにより若干ながらイヤホン３のケーブルまでもアンテナとして機能する恐れがある。このようにイヤホン３のケーブルまでもアンテナとして機能すると、人体が接触する部位がアンテナとして機能することになり、人体の接触によりアンテナの特性が劣化することになる。
【００４４】
しかしながらこの実施例により、高周波遮断回路５１Ｌ、５１Ｒ、５１Ｇを介して多芯シールドケーブル４２の芯線ケーブルＬＬ、ＬＲ、ＬＧをジャック１４に接続すれば、イヤホン３のケーブルから多芯シールドケーブル４２の芯線ケーブルＬＬ、ＬＲ、ＬＧへの高周波信号の侵入を防止し、多芯シールドケーブル４２の被覆線ＳＳとイヤホン３のケーブルとの高周波的な絶縁をより確かなものとすることができ、これにより一段と確実に、従来に比して人体による特性の劣化を低減することができる。
【００４５】
この図１６の構成によれば、高周波遮断回路を介して多芯シールドケーブルの芯線ケーブルをイヤホンのケーブルに接続することにより、一段と確実に、従来に比して人体による特性の劣化を低減することができる。
【実施例３】
【００４６】
図１７は、図１６との対比により本発明の実施例３の携帯電話を示す図である。この実施例では、中継ケーブル５０に代えて、中継ケーブル５５が設けられる。またこの中継ケーブル５５は、多芯シールドケーブル４１の両端において、芯線ケーブルＬＬ、ＬＲ、ＬＧがコンデンサ５２Ｌ、５２Ｒ、５２Ｇ及び５３Ｌ、５３Ｒ、５３Ｇにより接続される。またジャック３８の根元部分において、芯線ケーブルＬＬ、ＬＲ、ＬＧに接続される端子間にコンデンサ５４Ｌ、５４Ｒ、５４Ｇが設けられる。これにより中継ケーブル５５は、多芯シールドケーブル４１における３本の芯線ケーブル間の結合をより密にして、同軸伝送路としての機能をより確実なものとする。なおこの図１７では、右チャンネル用のオーディオ信号ＳＡＲを伝送する芯線ケーブルと他の芯線ケーブルとをコンデンサで接続しているが、これに代えてアースラインの芯線ケーブルと他の芯線ケーブルとをコンデンサで接続してもよい。
【００４７】
これによりこの実施例では、さらに一段と多芯シールドケーブル４２の同軸伝送路としての機能を確かなものとすることができ、これにより一段と確実に従来に比して人体による特性の劣化を低減することができる。
【実施例４】
【００４８】
なお上述の実施例においては、芯線ケーブルの高周波遮断回路をジャック３８の本体装置側に設ける場合について述べたが、中断ケーブル側に設けるようにしてもよい。
【００４９】
また上述の実施例においては、プラグ及びジャックにより着脱可能にイヤホンを中継ケーブルに接続する場合について述べたが、本発明はこれに限らず、必要に応じてイヤホン及び中継ケーブルを一体化するようにしてもよい。
【００５０】
また上述の実施例においては、本体装置に着脱可能に中継ケーブルを接続する場合について述べたが、本発明はこれに限らず、必要に応じて本体装置から取り外すことができないように中継ケーブルを設けるようにしてもよい。
【００５１】
また上述の実施例においては、イヤホン側の多芯シールドケーブルの被覆線をアースラインの芯線ケーブルに接続し、このアースラインの芯線ケーブルと被覆線とにより同軸伝送路を形成する場合について述べたが、本発明はこれに限らず、これに代えてオーディオ信号伝送用の芯線ケーブルと被覆線とを接続して同軸伝送路を形成するようにしてもよく、さらにはコンデンサで分離して全ての芯線ケーブルと被覆線とを接続して同軸伝送路を形成するようにしてもよい。
【００５２】
また上述の実施例においては、イヤホンを駆動するオーディオ信号の伝送路を利用してアンテナを構成する場合について述べたが、本発明はこれに限らず、ライン出力等のオーディオ信号の伝送路を利用してアンテナを構成する場合、さらにはオーディオ信号以外の例えばビデオ信号の伝送路を利用してアンテナを構成する場合、信号伝送以外の例えば商用電源、各種直流電源の電力の伝送路を利用してアンテナを構成する場合等に広く適用することができる。
【産業上の利用可能性】
【００５３】
本発明は、例えばディジタルラジオ放送等を受信可能な携帯電話に適用することができる。
【図面の簡単な説明】
【００５４】
【図１】本発明の実施例１の受信装置である携帯電話を部分的に示すブロック図である。
【図２】図１の携帯電話の斜視図である。
【図３】図１の携帯電話の中継ケーブルの断面図である。
【図４】図１の携帯電話の中継ケーブルにおける中継部を示す断面図及び平面図である。
【図５】図１の携帯電話の中継ケーブルの機能の説明に供する図である。
【図６】図１の携帯電話の中継ケーブルによるアンテナの説明に供する図である。
【図７】図１の携帯電話の中継ケーブルによるアンテナの説明に供する斜視図である。
【図８】図１の中継ケーブルの自由空間における特性を示す特性曲線図である。
【図９】図８の特性曲線による総合の特性を示す図表である。
【図１０】図８の特性曲線による垂直偏波の特性を示す図表である。
【図１１】図８の特性曲線による水平偏波の特性を示す図表である。
【図１２】図１の中継ケーブルの装着時における特性を示す特性曲線図である。
【図１３】図１２の特性曲線による総合の特性を示す図表である。
【図１４】図１２の特性曲線による垂直偏波の特性を示す図表である。
【図１５】図１２の特性曲線による水平偏波の特性を示す図表である。
【図１６】本発明の実施例２の受信装置である携帯電話を部分的に示すブロック図である。
【図１７】本発明の実施例３の受信装置である携帯電話を部分的に示すブロック図である。
【図１８】ロッドアンテナの説明に供する図である。
【図１９】単にイヤホンのケーブルをアンテナとして使用した場合の説明に供する図である。
【図２０】図１９の例によりアンテナの説明に供するブロック図である。
【図２１】図２０のアンテナの自由空間における特性を示す特性曲線図である。
【図２２】図２１の特性曲線による総合の特性を示す図表である。
【図２３】図２１の特性曲線による垂直偏波の特性を示す図表である。
【図２４】図２２の特性曲線による水平偏波の特性を示す図表である。
【図２５】図２０のアンテナのイヤホン装着時における特性を示す特性曲線図である。
【図２６】図２５の特性曲線による総合の特性を示す図表である。
【図２７】図２５の特性曲線による垂直偏波の特性を示す図表である。
【図２８】図２５の特性曲線による水平偏波の特性を示す図表である。
【図２９】人体のアンテナへの影響の説明に供する図である。
【図３０】給電点を装置から遠ざけた場合の説明に供する図である。
【図３１】ノイズ源からの距離による電界強度を示す特性曲線図である。
【図３２】給電点を装置から遠ざけた場合のイヤホンによるアンテナを示す図である。
【図３３】図３２のアンテナの自由空間における特性を示す特性曲線図である。
【図３４】図３３の特性曲線による総合の特性を示す図表である。
【図３５】図３３の特性曲線による垂直偏波の特性を示す図表である。
【図３６】図３３の特性曲線による水平偏波の特性を示す図表である。
【図３７】図３２のアンテナのイヤホン装着時における特性を示す特性曲線図である。
【図３８】図３７の特性曲線による総合の特性を示す図表である。
【図３９】図３７の特性曲線による垂直偏波の特性を示す図表である。
【図４０】図３７の特性曲線による水平偏波の特性を示す図表である。
【符号の説明】
【００５５】
１……ノートパソコン、２……ロッドアンテナ、３……イヤホン、６Ｇ、６Ｌ、６Ｒ、４５Ｇ、４５Ｌ、４５Ｒ、５１Ｇ、５１Ｌ、５１Ｒ、５２Ｇ、５２Ｌ、５２Ｒ、５３Ｇ、５３Ｌ、５３Ｒ、５４Ｇ、５４Ｌ、５４Ｒ……高周波遮断回路、７、１４、３８……ジャック、８……コンデンサ、９、３６Ｈ、３６Ｌ……チューナ、１０、２０、３２、５０，５５……中継ケーブル、１１……フラットケーブル、１２、１３、３５……プラグ、１５Ｌ、１５Ｒ……スピーカ、２１、４１、４２……シールドケーブル、３１……携帯電話、３４……本体装置、３７……選択回路、４３……中継部
【図１】
2008263252.tif 000003
【図２】
2008263252.tif 000004
【図３】
2008263252.tif 000005
【図４】
2008263252.tif 000006
【図５】
2008263252.tif 000007
【図６】
2008263252.tif 000008
【図７】
2008263252.tif 000009
【図８】
2008263252.tif 000010
【図９】
2008263252.tif 000011
【図１０】
2008263252.tif 000012
【図１１】
2008263252.tif 000013
【図１２】
2008263252.tif 000014
【図１３】
2008263252.tif 000015
【図１４】
2008263252.tif 000016
【図１５】
2008263252.tif 000017
【図１６】
2008263252.tif 000018
【図１７】
2008263252.tif 000019
【図１８】
2008263252.tif 000020
【図１９】
2008263252.tif 000021
【図２０】
2008263252.tif 000022
【図２１】
2008263252.tif 000023
【図２２】
2008263252.tif 000024
【図２３】
2008263252.tif 000025
【図２４】
2008263252.tif 000026
【図２５】
2008263252.tif 000027
【図２６】
2008263252.tif 000028
【図２７】
2008263252.tif 000029
【図２８】
2008263252.tif 000030
【図２９】
2008263252.tif 000031
【図３０】
2008263252.tif 000032
【図３１】
2008263252.tif 000033
【図３２】
2008263252.tif 000034
【図３３】
2008263252.tif 000035
【図３４】
2008263252.tif 000036
【図３５】
2008263252.tif 000037
【図３６】
2008263252.tif 000038
【図３７】
2008263252.tif 000039
【図３８】
2008263252.tif 000040
【図３９】
2008263252.tif 000041
【図４０】
2008263252.tif 000042